(57)【要約】【課題】フロート部と汚濁防止膜からなる着底式の汚濁防止膜装置において、汚濁防止膜の下端から作業水域内の汚濁が外側に漏洩するのを抑制でき、また汚濁防止膜の損傷とそれに伴う汚濁防止効果の低下を抑制でき、グラブの引き上げに伴う内側への水流によって汚濁防止膜が受ける負荷を軽減し、汚濁防止膜の耐久性低下を抑制できる着底式複合型汚濁防止膜装置を提供する。【解決手段】フロート部汚濁防止膜２の下部の外側に下部汚濁防止膜１０を設けることでフロート部汚濁防止膜２の下部を所定の間隔をおいて内側と外側の二重とし、フロート部汚濁防止膜２が水底に接しない非着底式とし、下部汚濁防止膜１０を水底に接する着底式とする。上端フレーム１１とつなぎ材１２によりフロート部汚濁防止膜２と下部汚濁防止膜１０の間隔を保持し、非連結の下部汚濁防止膜１０を独立して上下移動させる。【選択図】図２
2009203614.tif 000002
【特許請求の範囲】
【請求項１】
作業水域を遮断するように水面に浮かべて設置されるフロート部と、このフロート部から水底に向けて吊り下げられる汚濁防止膜とを備えている非枠型汚濁防止膜装置において、
前記フロート部汚濁防止膜の下部に所定の間隔をおいて内側と外側の二重の下部汚濁防止膜が設けられ、フロート部汚濁防止膜が水底に接しない非着底式とされ、二重の下部汚濁防止膜が水底に接する着底式とされていることを特徴とする着底式複合型汚濁防止膜装置。
【請求項２】
作業水域を取り囲むように水面に浮かべて設置される平面視枠型のフロート部と、この枠型のフロート部の全周から水底に向けて吊り下げられる汚濁防止膜とを備えている枠型汚濁防止膜装置において、
前記フロート部汚濁防止膜の下部の外側に下部汚濁防止膜を設けることにより、フロート部汚濁防止膜の下部が所定の間隔をおいて内側と外側の二重とされ、フロート部汚濁防止膜が水底に接しない非着底式とされ、下部汚濁防止膜が水底に接する着底式とされていることを特徴とする着底式複合型汚濁防止膜装置。
【請求項３】
請求項１または請求項２に記載の着底式複合型汚濁防止膜装置において、フロート部汚濁防止膜の下部に水平に設けられた中間フレームと、下部汚濁防止膜の上部に水平に設けられた上端フレームとがつなぎ材で連結され、あるいは、前記中間フレームと前記支持フレームとが非連結とされ、フロート部汚濁防止膜のみ、フロート部汚濁防止膜・下部汚濁防止膜同時あるいは下部汚濁防止膜のみが上下移動自在にフロート部から吊り下げられていることを特徴とする着底式複合型汚濁防止膜装置。
【発明の詳細な説明】
【技術分野】
【０００１】
本発明は、浚渫工などの海洋土木工事などにおける汚濁防止対策に用いられる汚濁防止膜装置に関するものである。
【背景技術】
【０００２】
浚渫工などにおいては、作業水域を遮断または取り囲むように汚濁防止膜を布設して、作業水域の外に汚濁水が流出するのを防止している。
【０００３】
図５、図６は、従来の枠型の汚濁防止膜装置の例であり、平面形状が四角枠状のフロート鋼管によるフロート部１と、このフロート部１の全周から水底に向けて吊り下げられるフロート部汚濁防止膜２とから構成されている。
【０００４】
図５では、フロート部汚濁防止膜２の中間部には、四角枠状のバラスト鋼管による中間フレーム３が設けられ、下端には、ウェイトチェーンによるウェイト部４が設けられている。フロート部１に設置した巻上ウインチ５と巻上用ワイヤロープ６により中間フレーム３を巻き上げ、フロート部汚濁防止膜２の垂下長を調整する。図６では、バラスト鋼管による下端フレーム４´を巻上ウインチ５により巻き上げる。
【０００５】
フロート部汚濁防止膜２の中間フレームまたは下端フレームを上下させ、使用場所の水深に応じてフロート部汚濁防止膜２の垂下長を調節することにより、フロート部汚濁防止膜２の下端からの汚濁漏れが防止できる。下端に可撓性に富むウェイトチェーンを用いることにより、ある程度の不陸に対応することができる。
【０００６】
本発明の汚濁防止膜に関連する先行技術文献として特許文献１〜３がある。特許文献１の発明は、流水により膜材下部が捲くれ上がるのを防止できる水質汚濁防止膜であり、膜材の下部にのれん状のスカートが設けられている。
【０００７】
特許文献２の発明は、枠型のフロート部と汚濁防止膜を備えた汚濁拡散防止装置において、フロート部と汚濁防止膜を周方向に複数分割し、取り扱いが容易となるようにしたものである。
【０００８】
特許文献３の発明は、固定式フロートの浮力を増すことなく水没を防止できる汚濁防止装置であり、捲くれ上がりを防ぐウェイトチェーンが下端に装着された汚濁防止膜のフロートの一部を空気の出し入れにより浮き沈み可能な浮沈式フロートとし、両端に固定式フロートを連結したものである。
【０００９】
【特許文献１】特開平９−９５９２７号公報
【特許文献２】特開２００５−６８９３０号公報
【特許文献３】特開２００７−８５１２８号公報
【発明の開示】
【発明が解決しようとする課題】
【００１０】
非枠型（図１）で、従来の一重の着底式汚濁防止膜の場合では、潮流などの影響を受けて、「吹かれ現象」を起こし、汚濁防止膜の下部が上方へ持ち上がり（図１（ｂ）参照）汚濁防止膜下から作業水域内の汚濁が外側に漏洩する恐れが大きい。
【００１１】
また、着底式で枠型の場合、図４（ａ）に示すように、浚渫時に汚濁防止膜２の下端をグラブが掴み、汚濁防止膜２を損傷する恐れがある（図４（ａ）の下の図）。
【００１２】
また、汚濁防止膜２の下端が海底面に着底しても浚渫作業によって海底面が掘り下げられるため、汚濁防止膜２の下端と海底面に隙間が生じ、濁りの外側への漏洩が懸念される（図４（ａ）の上下の図）。
【００１３】
さらに、浚渫作業において、グラブを海底から引き上げる際、汚濁防止膜２の内側に内向きの水流が発生し、汚濁防止膜２の下端部が引き込まれる（図４（ａ）の上の図）。この動きの繰り返しが汚濁防止膜の損傷を助長する。
【００１４】
本発明は、フロート部と汚濁防止膜からなる着底式の汚濁防止膜装置において、汚濁防止膜の下端から作業水域内の汚濁が外側に漏洩するのを抑制することができ、また汚濁防止膜の損傷とそれに伴う汚濁防止効果の低下を抑制することができ、グラブの引き上げに伴う内側への水流によって汚濁防止膜が受ける負荷を軽減し、汚濁防止膜の耐久性低下を抑制することができる着底式複合型汚濁防止膜装置を提供することにある。
【課題を解決するための手段】
【００１５】
本発明の請求項１は、作業水域を遮断するように水面に浮かべて設置されるフロート部と、このフロート部から水底に向けて吊り下げられる汚濁防止膜とを備えている汚濁防止膜装置において、前記フロート部汚濁防止膜の下部に所定の間隔をおいて内側と外側の二重の下部汚濁防止膜が設けられ、フロート部汚濁防止膜が水底に接しない非着底式とされ、二重の下部汚濁防止膜が水底に接する着底式とされていることを特徴とする着底式複合型汚濁防止膜装置である。
【００１６】
非枠型の汚濁防止膜装置の場合であり、図１に例示するように、フロート鋼管によるフロート部から吊り下げられるフロート部汚濁防止膜を下端が水底に到達しない非着底式の汚濁防止膜とし、この非着底式のフロート部汚濁防止膜の下部の内側と外側においてフロート部汚濁防止膜の下部から垂下させた二重の帯状の下部汚濁防止膜を下端が水底に到達する着底式の汚濁防止膜とするものである。フロート部汚濁防止膜及び二重の下部汚濁防止膜の下端にはウェイトチェーン等のウェイト部を設ける。
【００１７】
図１（ｃ）に示すように、潮流などの影響を受けても従来のように汚濁防止膜の下部が上方へ持ち上がることがなく、汚濁の外側への漏洩が抑制される。さらに、図１（ａ）に示すように、汚濁防止膜の下部がフロート部汚濁防止膜の下部と二重の下部汚濁防止膜により三重構造となるため、拡散経路が長くなり、汚濁を長く内側へ滞留できるので、汚濁の要因である土粒子の沈降を促せる効果が得られ、汚濁の外側への漏洩を大幅に抑制することができる。
【００１８】
本発明の請求項２は、作業水域を取り囲むように水面に浮かべて設置される平面視枠型のフロート部と、この枠型のフロート部の全周から水底に向けて吊り下げられる汚濁防止膜とを備えている汚濁防止膜装置において、前記フロート部汚濁防止膜の下部の外側に下部汚濁防止膜を設けることにより、フロート部汚濁防止膜の下部が所定の間隔をおいて内側と外側の二重とされ、フロート部汚濁防止膜が水底に接しない非着底式とされ、下部汚濁防止膜が水底に接する着底式とされていることを特徴とする着底式複合型汚濁防止膜装置である。
【００１９】
枠型の汚濁防止膜の場合であり、図２、図３に例示するように、平面視四角枠状のフロート鋼管によるフロート部から吊り下げられるフロート部汚濁防止膜を下端が水底に到達しない非着底式の汚濁防止膜とし、このフロート部汚濁防止膜の下部の外側においてフロート部汚濁防止膜の下部から垂下させた帯状の下部汚濁防止膜を下端が水底に到達する着底式の汚濁防止膜とするものである。フロート部汚濁防止膜及び外側の下部汚濁防止膜の下端にはウェイトチェーン等のウェイト部を設ける。
【００２０】
この枠型の場合も、汚濁防止膜の下部がフロート部汚濁防止膜の下部と外側の下部汚濁防止膜により二重構造となるため、拡散経路が長くなり、汚濁を長く内側へ滞留できるので、汚濁の要因である土粒子の沈降を促せる効果が得られ、汚濁の外側への漏洩を大幅に抑制することができる。
【００２１】
さらに、図４に示すように、従来の汚濁防止装置の汚濁防止膜は一重であるため、浚渫時に汚濁防止膜の下端をグラブが掴み、汚濁防止膜を損傷する恐れがあるが、本発明の枠型の汚濁防止膜では、汚濁防止膜の下部が所定の間隔をおいて二重で、フロート部汚濁防止膜の下部の自由長が短く、その下端がグラブに届くことがなく、汚濁防止膜の下端とグラブとの接触が防止される。
【００２２】
また、従来の汚濁防止装置の場合、汚濁防止膜の下端が海底面に着底しても浚渫作業によって海底面が掘り下げられるため、汚濁防止膜の下端と海底面に隙間が生じ、濁りの外側への漏洩が懸念されるが、本発明の枠型の汚濁防止膜では、汚濁防止膜の下部が二重で、外側の下部汚濁防止膜の下端が着底しているため、濁りの外側への漏洩が抑制される。
【００２３】
さらに、従来の汚濁防止装置の場合、浚渫作業において、グラブを海底から引き上げる際、汚濁防止膜の内側に内向きの水流が発生し、汚濁防止膜の下端部が引き込まれ、この動きの繰り返しが汚濁防止膜の損傷を助長するが、本発明の枠型の汚濁防止膜では、フロート部汚濁防止膜と外側の下部汚濁防止膜との間の間隙により通水性が確保されるため、浚渫作業時に汚濁防止膜が受ける負荷が軽減され、汚濁防止膜の耐久性の低下が抑制される。
【００２４】
本発明の請求項３は、請求項１または請求項２に記載の着底式二重汚濁防止膜装置において、フロート部汚濁防止膜の下部に水平に設けられた中間フレームと、下部汚濁防止膜の上部に水平に設けられた上端フレームとがつなぎ材で連結され、あるいは、前記中間フレームと前記支持フレームとが非連結とされ、下部汚濁防止膜が上下移動自在にフロート部から吊り下げられていることを特徴とする着底式複合型汚濁防止膜装置である。
【００２５】
図１、図３に例示するように、同じ水平面内に設けられたフロート部汚濁防止膜の中間フレームと下部汚濁防止膜の上端フレームとをつなぎ材で連結することにより、フロート部汚濁防止膜と下部汚濁防止膜との間隔を一定に保持することができる。また、図２に例示するように、つなぎ材により間隔を保持した上で中間フレームと上端フレームを連結しないことにより、フロート部汚濁防止膜のみ、フロート部汚濁防止膜・下部汚濁防止膜同時あるいは下部汚濁防止膜のみをウインチ等で上下移動調整することができる。  
【発明の効果】
【００２６】
本発明は、以上のような構成からなるので、次のような効果を奏することができる。
【００２７】
(1) 非枠型では、汚濁防止膜の下部がフロート部汚濁防止膜の下部と二重の下部汚濁防止膜により三重構造となるため、枠型では、汚濁防止膜の下部がフロート部汚濁防止膜の下部と外側の下部汚濁防止膜により二重構造となるため、拡散経路が長くなり、汚濁を長く内側へ滞留できるので、汚濁の要因である土粒子の沈降を促せる効果が得られ、汚濁の外側への漏洩を大幅に抑制することができる。
【００２８】
(2）枠型では、汚濁防止膜の下部が所定の間隔をおいて二重で、フロート部汚濁防止膜の下部の自由長が短く、その下端がグラブに届くことがなく、汚濁防止膜の下端とグラブとの接触を防止することができる。
【００２９】
(3）枠型では、汚濁防止膜の下部が二重で、外側の下部汚濁防止膜の下端が着底しているため、浚渫作業で海底面が掘り下げられても濁りの外側への漏洩を抑制することができる。
【００３０】
(4)  枠型では、フロート部汚濁防止膜と外側の下部汚濁防止膜との間の間隙により通水性が確保されるため、浚渫作業時に汚濁防止膜が受ける負荷が軽減され、汚濁防止膜の耐久性の低下を抑制することができる。
【００３１】
(5)  枠型において汚濁防止膜の損傷に伴う汚濁防止効果の低下及び汚濁防止膜の耐久性の低下を抑制することにより、汚濁防止膜装置における性能の確実性及び持続性を向上させることができる。
【発明を実施するための最良の形態】
【００３２】
以下、本発明を図示する実施形態に基づいて説明する。図１は、本発明の着底式複合型汚濁防止膜装置の非枠型の一例を示す鉛直断面図である。図２は、本発明の着底式複合型汚濁防止膜装置の枠型の一例を示す鉛直断面図である。図３は、枠型の具体例を示す側面図と平面図と水平断面図である。図４は、従来と本発明の枠型とを比較した側面図である。
【００３３】
図１において、非枠型の汚濁防止膜装置は、直線状や曲線状のフロート鋼管等によるフロート部１と、このフロート部１から水底に向けて吊り下げられるフロート部汚濁防止膜２とから構成されている。本発明では、フロート部汚濁防止膜２の下部に所定の間隔をおいて内側と外側の二重の下部汚濁防止膜１０Ａ、１０Ｂを設け、フロート部汚濁防止膜２を水底に接しない非着底式とし、二重の下部汚濁防止膜１０Ａ、１０Ｂを水底に接する着底式とする。
【００３４】
フロート部汚濁防止膜２の中間部と下部にはバラスト鋼管等による中間フレーム３が設けられ、下部汚濁防止膜１０Ａ、１０Ｂの上端にはバラスト鋼管等による上端フレーム１１が設けられ、同じ水平面内に設けられた下部の中間フレーム３と上端フレーム１１をつなぎ材１２で連結することにより、フロート部汚濁防止膜１と下部汚濁防止膜１０Ａ、１０Ｂの間隔を保持する。フロート部汚濁防止膜１と下部汚濁防止膜１０Ａ、１０Ｂの下端にはウェイトチェーン等のウェイト部４、１３を設ける。フロート部１と上端フレーム１１とは吊り材１４で連結する。
【００３５】
以上のような非枠型の汚濁防止膜装置の場合、図１（ｃ）に示すように、潮流などの影響を受けても従来のように汚濁防止膜の下部が上方へ持ち上がることがなく、汚濁の外側への漏洩が抑制される。さらに、図１（ａ）に示すように、フロート部汚濁防止膜２の下部と二重の下部汚濁防止膜１０Ａ、１０Ｂにより三重構造となるため、拡散経路が長くなり、汚濁を長く内側へ滞留できるので、汚濁の要因である土粒子の沈降を促せる効果が得られ、汚濁の外側への漏洩を大幅に抑制することができる。
【００３６】
図２、図３において、枠型の汚濁防止膜装置は、平面形状が四角枠状のフロート鋼管によるフロート部１と、このフロート部１の全周から水底に向けて吊り下げられるフロート部汚濁防止膜２とから構成されている。本発明においては、フロート部汚濁防止膜２の下部の外側に下部汚濁防止膜１０を設けることにより、フロート部汚濁防止膜２の下部を所定の間隔をおいて内側と外側の二重とし、フロート部汚濁防止膜２が水底に接しない非着底式とし、下部汚濁防止膜１０を水底に接する着底式とする。
【００３７】
フロート部汚濁防止膜２の中間部と下部には、四角枠状のバラスト鋼管による中間フレーム３を設け、下端には、ウェイトチェーンによるウェイト部４を設ける。下部汚濁防止膜１０の上端には、フロート部汚濁防止膜２の下部の中間フレーム３よりも平面形状が一回り大きい四角枠状のバラスト鋼管による上端フレーム１１を設け、この上端フレーム１１を下部の中間フレーム３と同じ水平面内に配置する。
【００３８】
図２の実施形態では、上端フレーム１１の内側につなぎ材１２を介してもう一つの上端フレーム１１を設け、フロート部汚濁防止膜２に対して下部汚濁防止膜１０が所定の間隔を保持できるようにすると共に、上端フレーム１１と中間フレーム３とは連結しないことにより、下部汚濁防止膜１０がフロート部汚濁防止膜２とは独立して上下移動調整できるようにしている。
【００３９】
図２に示すように、フロート部１には、巻上ウインチ５Ａ、５Ｂを設置し、それぞれの巻上用ワイヤロープ６Ａ、６Ｂを滑車７Ａ、７Ｂにより中間部の中間フレーム３、外側の上端フレーム１１にそれぞれ接続する。中間部の中間フレーム３と外側の上端フレーム１１とは吊り材１４で連結されている。巻上用ワイヤロープ６Ａの巻上げ・繰り出しによりフロート部汚濁防止膜２と下部汚濁防止膜１０の全体を上下移動調整することができる。また、巻上用ワイヤロープ６Ｂの巻上げ・繰り出しにより下部汚濁防止膜１０のみを上下移動調整することができる。なお、下部汚濁防止膜１０の下端にもウェイトチェーンによるウェイト部１３が設けられている。
【００４０】
図３の実施形態では、下部の中間フレーム３と上端フレーム１１とが周方向に間隔をおいて配置した複数の水平のつなぎ材１２で連結されている。下部の中間フレーム３と上端フレーム１１との間隔は、例えば１ｍ程度とする。中間部の中間フレーム３と上端フレーム１１とを吊り材１４で連結し、フロート部１に設置した巻上ウインチ５からの巻上用ワイヤロープ６を滑車７により中間部の中間フレーム３に接続する。
【００４１】
フロート部汚濁防止膜２と下部汚濁防止膜１０、あるいは下部汚濁防止膜１０のみを巻上ウインチで上下させ、使用場所の水深に応じてフロート部汚濁防止膜２及び下部汚濁防止膜１０の垂下長を調節することにより、フロート部汚濁防止膜２の下部と外側の下部汚濁防止膜１０の二重構造により、下部汚濁防止膜１０の下端からの汚濁漏れが防止できる。下部汚濁防止膜１０の下端に設けられた可撓性に富むウェイトチェーンのウェイト部１３により、ある程度の不陸に対応することができる。
【００４２】
なお、フロート部４は、直管と曲管から組み立てられ、その上に歩廊８が設けられ、その外周には四角枠状のガード鋼管９が配置されている。汚濁防止膜２、１０にはキャンバスなどが用いられる。
【００４３】
以上のような構成の着底式複合型汚濁防止膜装置を水面に浮かべて浚渫工などを行う。枠型の場合、図４（ｂ）に示すように、フロート部汚濁防止膜２が非着底であるため、膜下部の自由長が短縮され、膜下端がグラブに届かないため、グラブとの接触が防止される（図４（ｂ）の下の図）。
【００４４】
内側のフロート部汚濁防止膜２と外側の下部汚濁防止膜１０との間の間隙による通水性が確保されることで、浚渫作業時に汚濁防止膜が受ける負荷を軽減し、汚濁防止膜の耐久性低下を抑制することができる（図４（ｂ）の上下の図）。
【００４５】
内側のフロート部汚濁防止膜２と外側の下部汚濁防止膜１０により汚濁防止膜の下部が二重で、外側の下部汚濁防止膜１０の下端が着底しているため、浚渫作業における濁りの外側への漏洩が抑制される。
【００４６】
汚濁防止膜の損傷に伴う汚濁防止効果の低下及び汚濁防止膜の耐久性低下を抑制することにより、汚濁防止膜装置における性能の確実性及び持続性が向上する。
【図面の簡単な説明】
【００４７】
【図１】本発明の着底式複合型汚濁防止膜装置の非枠型の一例を示す鉛直断面図である。
【図２】本発明の着底式複合型汚濁防止膜装置の枠型の一例を示す鉛直断面図である。
【図３】本発明の枠型の具体例を示す（ａ）は側面図、（ｂ）は平面図、（ｃ）は水平断面図である。
【図４】従来と本発明とを比較した側面図である。
【図５】従来の汚濁防止膜装置の枠型の一例を示す（ａ）は側面図、（ｂ）は平面図である。
【図６】従来の汚濁防止膜装置の枠型の他の例を示す（ａ）は斜視図、（ｂ）は部分拡大斜視図である。
【符号の説明】
【００４８】
１…フロート部（フロート鋼管）
２…フロート部汚濁防止膜
３…中間フレーム（バラスト鋼管）
４…ウェイト部（ウェイトチェーン）
５、５Ａ、５Ｂ…巻上ウインチ
６、６Ａ、６Ｂ…巻上用ワイヤロープ
７、７Ａ、７Ｂ…滑車
８…歩廊
９…ガード鋼管
１０、１０Ａ、１０Ｂ…下部汚濁防止膜
１１…上端フレーム（バラスト鋼管）
１２…つなぎ材
１３…ウェイト部(ウェイトチェーン)
１４…吊り材
【図１】
2009203614.tif 000003
【図２】
2009203614.tif 000004
【図３】
2009203614.tif 000005
【図４】
2009203614.tif 000006
【図５】
2009203614.tif 000007
【図６】
2009203614.tif 000008